(57)【要約】【課題】例えばサイズが７．２ｐｔの文字を、３０ｃｍの視距離からベストの読書速度で読めるときに必要とされる小数視力をフォントの種類毎に算出する評価方法、装置及びプログラムを提供する。【解決手段】被験者に対して、所定フォントの可読性評価試験の結果から得られた文字サイズＡと、所定条件視角Ｂと、前記被験者の視力を視力検査で測定して得られた最小分離閾Ｃと、を用いて、所定条件で所定フォントを読むときに必要とされる小数視力を、下記式を用いて求めることを、Ｄ＝Ａ／（Ｂ×Ｃ）コンピュータが実行する。【選択図】図７
2016158812.tif 000002
【特許請求の範囲】
【請求項１】
被験者に対して、所定フォントの可読性評価試験の結果から得られた文字サイズＡと、
所定サイズの文字を所定の距離から見た時の視角Ｂと、
前記被験者の視力を視力検査で測定して得られた最小分離閾Ｃと、
を用いて、前記所定サイズの前記所定フォントを前記所定の距離から読むときに必要とされる小数視力を、下記式を用いて求めることを、
Ｄ＝Ａ／（Ｂ×Ｃ）
コンピュータが実行する方法。
【請求項２】
前記可読性評価試験で用いる所定フォントは、文字と内接する矩形領域である実ボディと、実ボディ及び実ボディを囲む余白を含む矩形領域である仮想ボディとを有しており、
前記所定サイズの文字を所定の距離から見た時の視角Ｂは、仮想ボディの視角又は実ボディの視角である請求項１に記載の方法。
【請求項３】
前記文字サイズＡは、複数の前記被験者に対して行われた前記可読性評価試験の結果から得られた文字サイズの平均値であり、
前記最小分離閾Ｃは、複数の前記被験者の視力を視力検査で測定して得られた最小分離閾の平均値である請求項１又は２に記載の方法。
【請求項４】
前記可読性評価試験は、ＭＮＲＥＡＤ−Ｊチャート又はＭＮＲＥＡＤーＪｋチャートを用いて行われる請求項１〜３の何れか一項に記載の方法。
【請求項５】
前記文字サイズＡは、臨界文字サイズ又は読書視力である請求項４に記載の方法。
【請求項６】
被験者に対して行われた可読性評価試験の結果から得られた文字サイズＡと、
所定サイズの文字を所定の距離から見た時の視角Ｂと、
前記被験者の視力を視力検査で測定して得られた最小分離閾Ｃと、
を用いて、前記所定サイズの前記所定フォントを前記所定の距離から読むときに必要とされる小数視力Ｄを、下記式を用いて求める演算部を、
Ｄ＝Ａ／（Ｂ×Ｃ）
備える装置。
【請求項７】
被験者に対して行われた可読性評価試験の結果から得られた文字サイズＡと、
所定サイズの文字を所定の距離から見た時の視角Ｂと、
前記被験者の視力を視力検査で測定して得られた最小分離閾Ｃと、
を用いて、前記所定サイズの前記所定フォントを前記所定の距離から読むときに必要とされる小数視力Ｄを、下記式を用いて求めることを、
Ｄ＝Ａ／（Ｂ×Ｃ）
コンピュータに実行させるプログラム。
【発明の詳細な説明】
【技術分野】
【０００１】
本発明は、フォントの評価方法、装置及びプログラムに関する。
【背景技術】
【０００２】
従来、ロービジョンの患者又は晴眼者の標準的な読書速度、読書に適切な文字サイズ等を測定する可読性評価試験が提案されている。
【０００３】
可読性評価試験で得られた文字サイズに基づいて、例えばロービジョンの患者にとって読書に適した文字サイズを求めることができる。その文字サイズの値は、その患者が新聞等を読む時に必要な倍率を与えてくれる。また、読書に適した同じサイズの文字を使って文書を印刷すれば、この患者はルーペ等の読書エイドを使わずに文書を読むことができることになる。このように、可読性評価試験で得られた文字サイズに基づいて、ロービジョンの患者が読書するのに適した読書環境を定量化することができる。
【０００４】
例えば、可読性評価試験で用いられるチャートとして、ＭＮＲＥＡＤ−Ｊ及びＭＮＲＥＡＤ−Ｊｋが知られている。
【０００５】
図１は、ＭＮＲＥＡＤ−Ｊチャートを示す図である。
【０００６】
ＭＮＲＥＡＤ−Ｊチャートの文章は、日常の読書で必要になる視覚情報処理及び眼球運動を同様に要求するサンプルになっている。ＭＮＲＥＡＤ−Ｊチャートは、内容の異なる１９の文章から構成される。各文章は、３０ｃｍの標準測定距離から読んだ場合に、文字サイズが１．３から−０．５ＬＯＧＭＡＲ(小数視力でおよそ０．０５から３．１６に相等)になるように作られている。
【０００７】
各文章は、句読点は含まずに３０文字からなっており、１行１０文字３行に印刷される。１つの文章あたりの漢字は８文字までと制限されており、漢字は全て教育漢字から選ばれている。単語が２行にわたることはなく、文章の内容は小学校高学年から中学生以上の日本人ならだれでも読めるようなものになっている。
【０００８】
ＭＮＲＥＡＤ−Ｊｋチャートは、各文章が、９個のひらがな単語がスペースを挟んでランダムに並べた２４文字により構成される点が、ＭＮＲＥＡＤ−Ｊチャートとは異なっている。
【０００９】
可読性評価試験では、ＭＮＲＥＡＤ−Ｊ又はＭＮＲＥＡＤ−Ｊｋの各文章を、チャートの最上段から下に向かって順番に声を出して、被験者に標準測定距離から読んでもらう。試験結果は、各文章の文字サイズを横軸とし、正しく読めた文字の読み速度を縦軸としてプロットされる。
【００１０】
図２は、可読性評価試験の結果を説明する図である。
【００１１】
可読性評価試験の結果から、臨界文字サイズ（ＣＰＳ）、最大読書速度（ＭＲＳ）及び読書視力（ＲＡ）が得られる。
【００１２】
臨界文字サイズ（ＣＰＳ）は、被験者が自分のベストの読書速度で読める、最小の文字サイズである。図２に示すように、通常比較的大きな文字サイズの場合には、読み速度は一定になる。文字サイズを小さくしてゆく時、読み速度が急に落ち始める直前の文字サイズが、臨界文字サイズである。
【００１３】
臨界文字サイズ以上の文字の大きさでは、読み速度は、ほぼ一定で最大になる。臨界文字サイズ以上のときの読み速度の平均値が最大読書速度（ＭＲＳ）の代表値である。最大読書速度は、被験者が文字サイズによって制約を受けない状態、つまり、十分な拡大又はコントラストが得られた場合に達成できる読み速度である。
【００１４】
読書視力（ＲＡ）は、被験者が何とか文章を読むことができる最小の文字サイズである。臨界文字サイズよりも小さい文字では、読み速度が落ちるが、それでも文章を読むことができる。更に文字サイズが小さくなると、文章全体を読むことができなくなり、数文字しか読めないようになる。この何とかぎりぎり読むことができる視力を読書視力と呼ぶ。
【００１５】
図３は、文字サイズを視角で表すことを説明する図である。
【００１６】
視角は、文字が眼球Ｅの水晶体を通して網膜上に投影された際の角度である。
【００１７】
図３に示す例では、文字「大」が眼球Ｅの網膜に投影された際の視角θを示している。
【００１８】
視角θは、文字を所定の距離から見た時の角度であり、単位は、ラジアン、度又は分を用いることができる。
【００１９】
サイズが７．２ｐｔの文字を、３０ｃｍの距離からみた時の視角は、図３に示す式で表すことができる。図３には、視角をラジアン、度及び分の単位で求める式が示されている。
【先行技術文献】
【特許文献】
【００２０】
【特許文献１】特開２０１２−２４７９２０号公報
【非特許文献】
【００２１】
【非特許文献１】小田浩一、”ＭＮＲＥＡＤ−Ｊ，Ｊｋチャートマニュアル”、[online]、２００２年５月１８日、[２０１４年９月１７日検索]、インターネット＜ＵＲＬ：http://www.cis.twcu.ac.jp/~k-oda/MNREAD-J/MNREAD-J-JkMan020518.pdf＞
【発明の概要】
【発明が解決しようとする課題】
【００２２】
従来の可読性評価試験では、ロービジョンの患者又は晴眼者の標準的な読書速度、読書に適切な文字サイズを測定することができる。
【００２３】
一方、例えばサイズが７．２ｐｔの文字を、３０ｃｍの視距離からベストの読書速度で読めるときに必要とされる小数視力をフォントの種類別に算出することはできない。
【００２４】
本明細書では、例えばサイズが７．２ｐｔの文字を、３０ｃｍの視距離からベストの読書速度で読めるときに必要とされる小数視力をフォントの種類毎に算出する評価方法、装置及びプログラムを提供することを課題とする。
【課題を解決するための手段】
【００２５】
本明細書に開示する方法によれば、被験者に対して、所定フォントの可読性評価試験の結果から得られた文字サイズＡと、所定サイズの文字を所定の距離から見た時の視角Ｂと、上記被験者の視力を視力検査で測定して得られた最小分離閾Ｃと、を用いて、上記所定サイズの上記所定フォントを上記所定の距離から読むときに必要とされる小数視力Ｄを、下記式を用いて求めることを、
Ｄ＝Ａ／（Ｂ×Ｃ）
コンピュータが実行する。
【００２６】
また、本明細書に開示する装置によれば、被験者に対して、所定フォントの可読性評価試験の結果から得られた文字サイズＡと、所定サイズの文字を所定の距離から見た時の視角Ｂと、上記被験者の視力を視力検査で測定して得られた最小分離閾Ｃと、を用いて、上記所定サイズの上記所定フォントを上記所定の距離から読むときに必要とされる小数視力Ｄを、下記式を用いて求める演算部を、
Ｄ＝Ａ／（Ｂ×Ｃ）
備える。
【００２７】
更に、本明細書に開示するプログラムによれば、被験者に対して、所定フォントの可読性評価試験の結果から得られた文字サイズＡと、所定サイズの文字を所定の距離から見た時の視角Ｂと、上記被験者の視力を視力検査で測定して得られた最小分離閾Ｃと、を用いて、上記所定サイズの上記所定フォントを上記所定の距離から読むときに必要とされる小数視力Ｄを、下記式を用いて求めることを、
Ｄ＝Ａ／（Ｂ×Ｃ）
コンピュータに実行させる。
【発明の効果】
【００２８】
上述した本明細書に開示する方法によれば、例えばサイズが７．２ｐｔの文字を、３０ｃｍの視距離からベストの読書速度で読むときに必要とされる小数視力を、フォントの種類別に算出する評価方法を実現できる。
【００２９】
また、上述した本明細書に開示する装置によれば、例えばサイズが７．２ｐｔの文字を、３０ｃｍの視距離からベストの読書速度で読むときに必要とされる小数視力をフォントの種類別に算出する評価方法を実現できる。
【００３０】
更に、上述した本明細書に開示するプログラムによれば、例えばサイズが７．２ｐｔの文字を、３０ｃｍの視距離からベストの読書速度で読むときに必要とされる小数視力をフォントの種類別に算出する評価方法を実現できる。
【図面の簡単な説明】
【００３１】
【図１】ＭＮＲＥＡＤ−Ｊチャートを示す図である。
【図２】可読性評価試験の結果を説明する図である。
【図３】文字サイズを視角で表すことを説明する図である。
【図４】本明細書に開示する装置の一実施形態を示す図である。
【図５】文字の仮想ボディ及び実ボディを説明する図である。
【図６】所定フォントの可読性評価試験で得られた臨界文字サイズを基に７．２ｐｔの文字を、３０ｃｍの視距離からベストの読書速度で読むときに必要とされる小数視力Ｄを算出すことを説明する図である（その１）。
【図７】所定フォントの可読性評価試験で得られた臨界文字サイズを基に７．２ｐｔの文字を、３０ｃｍの視距離からベストの読書速度で読むときに必要とされる小数視力Ｄを算出すことを説明する図である（その２）。
【図８】所定フォントの可読性評価試験で得られた読書視力を基に７．２ｐｔの文字を、３０ｃｍの視距離から何とかぎりぎり読むことができる小数視力Ｄを算出すことを説明する図である（その１）。
【図９】所定フォントの可読性評価試験で得られた読書視力を基に７．２ｐｔの文字を、３０ｃｍの視距離から何とかぎりぎり読むことができる小数視力Ｄを算出すことを説明する図である（その２）。
【発明を実施するための形態】
【００３２】
以下、本明細書で開示する装置の好ましい実施形態を、図を参照して説明する。但し、本発明の技術範囲はそれらの実施形態に限定されず、特許請求の範囲に記載された発明とその均等物に及ぶものである。
【００３３】
図４は、本明細書に開示する装置の一実施形態を示す図である。
【００３４】
装置１０は、可読性評価試験から得られた文字サイズを基に、例えばサイズが７．２ｐｔの文字を、３０ｃｍの視距離からベストの読書速度で読むときに必要とされる小数視力をフォントの種類別に算出する。上述したように、可読性評価試験から得られた文字サイズとしての臨界文字サイズは、被験者の視力を定量的に表す有用な指標として知られるものである。
【００３５】
装置１０を用いて、例えばサイズが７．２ｐｔの文字を、３０ｃｍの視距離からベストの読書速度で読める見るときに必要とされる小数視力をフォントの種類別に算出する評価方法を実現できる。このことについて、以下に説明する。
【００３６】
通常、視力検査では、ランドルト環又はスネレン指標を用いて、被験者の最小分離閾が視力として測定される。小数視力は、測定された最小分離閾の逆数である。最小分離閾は、被験者の視力の違いを表しており、最小分離閾が小さい程、被験者の視力が高いことを示す。
【００３７】
しかし、被験者が異なるフォントを識別する場合、文字サイズが同じであっても、字形が異なることによって、読みやすいフォントと、読みにくいフォントがあることが知られている。
【００３８】
そこで、被験者が読み易いフォントを定量的に比較することができれば、いわゆるユニバーサルフォントのような、多くの人が識別しやすいフォントを開発する時の指標として役立つことが期待される。
【００３９】
例えば、読み易いフォントを用いることにより、読める最小の文字サイズを、読みにくいフォントの文字サイズよりも小さくすることで、限られた印字領域を有効活用することが可能となる。
【００４０】
ここで、本明細書で使用する文字、フォント及び字形の用語について、以下に説明する。文字とは、言語情報を伝達するための符号であり、線や点を組み合わせで構成され、可読性評価試験及び視力測定等のチャートに用いられる。文字は、写真植字の文字盤又はデジタルフォントをはじめ、紙等の印刷媒体上に印刷されるものと共に、液晶ディスプレイ等の表示装置に表示されるものも含まれる。
【００４１】
フォントとは、文字を表現する様式、特徴及び傾向等が一貫して形成された複数の文字の集合体を意味する。同一フォント内では、同じ字形で線の太さのバランスに一貫性を持つ文字のセットを意味すると共に、ひとつの字母を拡大・縮小・変形できる電算写植又はＤＴＰにおいては、異なる大きさを含むひと揃いの文字の集合も含む意味である。書体の同意語で使われることも多い。本明細書では、書体とフォントは特に区別しないで使用する。
【００４２】
字形とは「文字」のデザインのことを示す。同じ文字のデザインであっても線や点の角度や線の太さバランスが異なっている場合は、異なる字形とする。
【００４３】
文字サイズは、例えば、ポイント（ｐｔ：１ｐｔ＝１／７２インチ）で表すことができる。
【００４４】
図５は、文字の仮想ボディ及び実ボディを説明する図である。
【００４５】
図５に示すように、所定の文字は、文字と内接する矩形領域である実ボディＲと、実ボディＲ及び実ボディＲを囲む余白を含む矩形領域である仮想ボディＶとを有する。文章は、仮想ボディＶが並べられて形成される。
【００４６】
文字は、ひとつの字母が実ボディの内側に収まるように設計されている。実ボディは、字面とも呼ばれる。
【００４７】
例えば、明朝体等の線幅の細いフォントは実ボディが小さく、ゴシック体等の線幅の太いフォントは実ボデイが大きいので、実ボディＲを囲む余白が異なるため、フォントによって、サイズや字詰めが違って見える場合がある。
【００４８】
実ボディの寸法は、実ボディが正方形であれば、一辺の長さで表される。実ボディが長方形であれば、短辺及び長辺の長さに基づいて、実ボディの寸法が表される。
【００４９】
仮想ボディの寸法についても、実ボディの寸法の説明が適用される。
【００５０】
文字の実寸率は、実ボディの寸法と仮想ボディの寸法の比率で定義される。
【００５１】
以下、装置１０について、更に説明する。
【００５２】
装置１０は、演算部１１と、記憶部１２と、入力部１３と、表示部１４と、通信部１６を有する。
【００５３】
演算部１１は、記憶部１２に予め記憶されている所定のプログラムに従い、装置１０の各要素の制御及び各種処理を行い、処理中に生じるデータを一時的に保存するために記憶部１２を利用する。
【００５４】
記憶部１２は、１次記憶装置及び２次記憶装置を有していても良い。また、記憶部１２は、所定のプログラムを記憶する記憶媒体１２ａを読み出し可能なドライブを有していても良い。
【００５５】
入力部１３は、装置１０のユーザ等によって操作されて、各種の情報を入力する。入力部１３としては、例えば、キーボード、マウス又はタッチパネル等を用いることができる。演算部１１は、入力部１３から入力された各種の情報を用いて、各種処理を行う。
【００５６】
表示部１４は、演算部１１に制御されて、各種の情報を表示する。表示部１４としては、例えば、液晶パネルを用いることができる。
【００５７】
通信部１６は、演算部１１に制御されて、外部との間でデータの送受信を行う。また、通信部１６は、外部のネットワークを介して、データの送受信を行うことができる。装置１０は、動作に用いる情報を、通信部１６を介して外部から入力することができる。また、装置１０は、例えばサイズが７．２ｐｔの文字を、３０ｃｍの視距離からベストの読書速度で読むときに必要とされる小数視力をフォントの種類別に算出した結果を、通信部１６を介して、外部へ出力することができる。
【００５８】
装置１０としては、例えば、マイコン、パーソナルコンピュータ若しくはサーバ等のコンピュータ又はプログラマブルロジックコントローラ等のステートマシンを用いることができる。
【００５９】
次に、装置１０が、可読性評価試験の結果から得られた文字サイズを基に、例えばサイズが７．２ｐｔの文字を、３０ｃｍの視距離からベストの読書速度で読むときに必要とされる小数視力を算出する処理について、図６〜図９を参照しながら、以下に説明する。
【００６０】
まず、可読性評価試験の結果から得られた臨界文字サイズを基に、例えばサイズが７．２ｐｔの文字を、３０ｃｍの視距離からベストの読書速度で読むときに必要とされる小数視力を算出する処理を、図６及び図７を参照して、以下に説明する。
【００６１】
可読性評価試験は、複数の被験者に対して、ＭＮＲＥＡＤ−Ｊチャートを用いて行われた。チャートとして、ＦＳ１、ＦＳ２及びＦＳ３の３つのフォントのチャートが用意された。各チャートは、同じ文章を有している。また、各文章は、ベタ組であり、文字間がゼロ、即ち、字母と字母との間は仮想ボディの余白の分だけ離間している。なお、被験者の数は、一人であってもよい。また、可読性評価試験は、ＭＮＲＥＡＤ−Ｊｋチャートを用いて行ってもよい。
【００６２】
各被験者が、各チャートの文章を３０ｃｍの標準測定距離から読んで、可読性評価試験が行われた。
【００６３】
複数の被験者の視力を表す平均の最小分離閾は０．７２５であり、平均の小数視力は１．３８であった。
【００６４】
各被験者に対して、各フォントＦＳ１、ＦＳ２及びＦＳ３のチャートを用いた可読性評価試験を行って得られた臨界文字サイズの平均値が、装置１０に入力される。得られた臨界文字サイズの具体的な数値を、図６に示す。
【００６５】
装置１０において、各フォントの臨界文字サイズを基にサイズが７．２ｐｔの文字を、３０ｃｍの視距離からベストの読書速度で読める見るときに必要とされる小数視力を算出する処理では、サイズが７．２ｐｔの文字を、３０ｃｍの視距離で見るとき視角を用いる。
【００６６】
ここでは、サイズが７．２ｐｔの文字を、３０ｃｍの視距離で見た時の視角は２９．１０６分と計算できる。以下、この所定サイズの文字を所定の距離から見た時の視角のことを、所定条件視角という。所定条件視角は、装置１０に入力される。
【００６７】
また、各フォントＦＳ１、ＦＳ２及びＦＳ３の文字の実寸率が、装置１０に入力される。同じ文字でも、漢字の実寸率とひらがなの実寸率とは異なるので、それぞれの実寸率が装置１０に入力される。実寸率の具体的な数値を、図６に示す。なお、フォントのデータを装置１０に入力して、装置１０が所定のプログラムを実行することにより、文字の実寸率を、フォントのデータに基づいて求めるようにしてもよい。
【００６８】
次に、装置１０は、各フォントＦＳ１、ＦＳ２及びＦＳ３に対して、実ボディの文字サイズを求める。具体的には、装置１０は、実ボディの文字サイズとして、所定条件視角（ここでは、２９．１０６）と、実寸率との積を求める。ここで、ＭＮＲＥＡＤ−Ｊチャートの各文章の３０文字には、８文字の漢字と２２文字のひらがなとが含まれるので、実寸率の値には、漢字とひらがなの割合が重みとして加味される。例えば、フォントＦＳ１の実寸率は、２９．１０６×（０．８９６×８＋０．８３０×２２）／３０のように計算される。
【００６９】
次に、装置１０は、各フォントＦＳ１、ＦＳ２及びＦＳ３に対して、空間周波数を求める。空間周波数は、臨界文字サイズを、複数の被験者の平均の最小分離閾で割った商である。
【００７０】
空間周波数は、ある文字を識別するために必要な空間分解能を意味する。ある被験者が、小さい文字でも読めるということは、その文字を読み取るために必要な空間周波数が低いことを意味する。空間周波数が小さい程、その文字が読みやすいことになる。
【００７１】
次に、装置１０は、各フォントＦＳ１、ＦＳ２及びＦＳ３に対して、仮想ボディＭＡＲを求める。仮想ボディＭＡＲは、所定条件視角（ここでは、２９．１０６）を、空間周波数で割った商である。
【００７２】
次に、装置１０は、各フォントＦＳ１、ＦＳ２及びＦＳ３に対して、実ボディＭＡＲを求める。実ボディＭＡＲは、実ボディの文字サイズを、空間周波数で割った商である。実ボディＭＡＲが大きい程、その文字が識別し易いことを意味する。
【００７３】
次に、装置１０は、各フォントＦＳ１、ＦＳ２及びＦＳ３に対して、サイズが７．２ｐｔの文字を、３０ｃｍの視距離からベストの読書速度で読むときに必要となる小数視力を算出する。７．２ｐｔの文字を、３０ｃｍの視距離からベストの読書速度で読むときに必要となる小数視力は、文字の仮想ボディに基づいた計算と、文字の実ボディに基づいた計算とが、それぞれ行われる。
【００７４】
７．２ｐｔの文字を、３０ｃｍの視距離からベストの読書速度で読むときに必要となる小数視力の仮想ボディに基づいた計算は、仮想ボディＭＡＲの逆数を求めることにより行われる。７．２ｐｔの文字を、３０ｃｍの視距離からベストの読書速度で読むときに必要となる小数視力は、被験者が、最低限この値以上の小数視力を有すれば、７．２ｐｔの文字を、３０ｃｍの視距離で読むときにベストの読書速度で読めることを意味する。
【００７５】
言い換えれば、算出した小数視力の値が小さいフォントほど、被験者に対して、読み易いフォントであると判断できる。
【００７６】
実際に印刷された文章は、実ボディ及び実ボディを囲む余白を含む仮想ボディを有する文字が並べて配置されて構成されるので、仮想ボディ計算の７．２ｐｔの文字を、３０ｃｍの視距離でベストの読書速度で読むときに必要となる小数視力は、被験者の実際の読みやすさを反映する指標となる。
【００７７】
また、７．２ｐｔの文字を、３０ｃｍの視距離でベストの読書速度で読むときに必要となる小数視力の実ボディに基づいた計算は、実ボディＭＡＲの逆数を求めることにより行われる。この場合、仮想ボディサイズ７．２ｐｔを実ボディに換算することができる。例えば、仮想ボディが比較的大きいフォントと仮想ボディが比較的小さいフォントを比較する際に、仮想ボディサイズの違いを除いた文字そのものの評価を行うことができる。実ボディに基づいた計算は、所定条件視角の実ボディの実寸率を計算することで、実ボディの文字サイズ（分）を算出し、所定条件視角に置き換えることで算出できる。
【００７８】
３つのフォントＦＳ１、ＦＳ２及びＦＳ３に対して、７．２ｐｔの文字を、３０ｃｍの視距離でベストの読書速度で読むときに必要となる小数視力を比較すると、読み易さ（数値が小さいこと）は、ＦＳ１、ＦＳ２、ＦＳ３の順番となる。従って、ＦＳ１、ＦＳ２は、ＦＳ３よりも可読性が良いことになる。
【００７９】
また、２つのフォントＦＳ１、ＦＳ２及びＦＳ３に対して、実ボディ計算の７．２ｐｔの文字を、３０ｃｍの視距離でベストの読書速度で読むときに必要となる小数視力を比較すると、読み易さ（数値が小さいこと）は、ＦＳ１、ＦＳ２、ＦＳ３の順番となる。ＦＳ１、ＦＳ２は、ＦＳ３よりも可読性が良いことになる。
【００８０】
また、図６を参照して説明した７．２ｐｔの文字を、３０ｃｍの視距離でベストの読書速度で読むときに必要となる小数視力の計算をまとめると、算出した小数視力は、図７に示すように、可読性評価試験を行って得られた臨界文字サイズと、所定条件視角と、被験者の最小分離閾とを用いて求めることができる。
【００８１】
ここで、臨界文字サイズは、被験者がこれよりも小さい文字サイズになると最大読書速度で文書を読むことが困難になる文字の大きさを示しており、所定条件視角は、算出する小数視力の条件（本実施例では７．２ｐｔの文字を、３０ｃｍの視距離で読むときに必要となる小数視力）を示しており、最小分離閾の逆数は被験者の小数視力を示す。
【００８２】
従って、７．２ｐｔの文字を、３０ｃｍの視距離でベストの読書速度で読むときに必要となる小数視力は、被験者の小数視力と、被験者がこれよりも小さい文字サイズになると最大読書速度で文書を読むことが困難になる文字の大きさと、所定条件視角の比の積で表されることになる。
【００８３】
以上が、装置１０が、７．２ｐｔの文字を、３０ｃｍの視距離でベストの読書速度で読むときに必要となる小数視力を算出する処理の説明である。
【００８４】
次に、図８及び図９を説明する。
【００８５】
図８、９は、図６、７と異なり、臨界文字サイズの代わりに、可読性評価試験から得られた、被験者が何とか文章を読むことができる最小の文字サイズである読書視力（ＲＡ）を用いたものである。よって、７．２ｐｔの文字を、３０ｃｍの視距離で何とか読むために最低限必要とされる小数視力を算出することができる。算出方法の説明は、臨界文字サイズを用いたものと変わらないため、省略する。
【００８６】
本発明では、上述したフォントの評価方法、装置及びプログラムは、本発明の趣旨を逸脱しない限り適宜変更が可能である。
【００８７】
本明細書では、７．２ｐｔの文字を、３０ｃｍの視距離でベストの読書速度で読むときに必要となる小数視力の算出方法を説明したが、例えば５．０ｐｔの文字を、１５ｃｍの視距離でベストの読書速度で読むときに必要となる小数視力を算出しても良い。その場合は、所定条件視角の計算値が変わることになる。
【００８８】
例えば、本発明は、ＭＮＲＥＡＤ−Ｊ及びＭＮＲＥＡＤ−Ｊｋ以外のチャートを用いた可読性評価試験の結果に対しても適用可能である。
【００８９】
また、本発明では、可読性評価試験の結果から得られた文字サイズは、臨界文字サイズ又は読書視力でなくてもよい。例えば、図２の横軸の任意の位置の視角で表される文字サイズを基に、所定の条件化で文字を読むときに必要となる小数視力を算出してもよい。
【００９０】
また、本発明では、可読性評価試験は、１文字単位で文字サイズを変えながら評価を行う認知閾試験を含む意味である。
【００９１】
更に、装置１０は、ＭＮＲＥＡＤ−Ｊ及びＭＮＲＥＡＤ−Ｊｋ等のチャートを用いた可読性評価試験を行う装置であってもよい。この場合、可読性評価試験の結果から得られた臨界文字サイズ又は読書視力を、あらためて装置１０に入力する必要はない。
【符号の説明】
【００９２】
１０    装置
１１    演算部
１２    記憶部
１３    入力部
１４    表示部
１５    通信部
Ｒ    実ボディ
Ｖ    仮想ボディ
Ｅ    眼球
【図１】
2016158812.tif 000003
【図２】
2016158812.tif 000004
【図３】
2016158812.tif 000005
【図４】
2016158812.tif 000006
【図５】
2016158812.tif 000007
【図６】
2016158812.tif 000008
【図７】
2016158812.tif 000009
【図８】
2016158812.tif 000010
【図９】
2016158812.tif 000011